(57)【特許請求の範囲】
【請求項１】
化粧もしくはケア物質を収納する容器と、内容物を塗布する塗布要素（１４、４４，７４）とを具備し、塗布要素が物質を、皮膚、毛及び爪の少なくとも一つに塗布するような形態をし、塗布要素を収容するハウジング（１３、４３、７３）を備えて、前記ハウジングは容器から出てくる内容物を流される包装並びに塗布装置であって、塗布要素は、塗布要素がハウジングに受け入られる閉じた位置と、塗布要素が内容物を塗布するために使用されうる待機位置との間を、容器に関して回動させるように設置された支持要素（２３、５３、７５）に固定され、支持要素がヒンジ手段によって容器に接続されていることを特徴とする装置。
【請求項２】
容器が、内容物を塗布するハンドルとして利用することができることを特徴とする請求項１に記載の装置。
【請求項３】
支持要素が、閉じた位置にあるときにハウジングをしっかり密閉するのに適していることを特徴とする請求項１または２に記載の装置。
【請求項４】
支持要素の回動動作が、120°以上もしくはこれに等しく、好ましくは180°以上もしくはこれに等しい角度ストロークで行なうことを特徴とする請求項１〜３のいずれか一項に記載の装置。
【請求項５】
塗布要素が、圧縮可能な材料から成ることを特徴とする請求項１〜４のいずれか一項に記載の装置。
【請求項６】
塗布要素は、支持要素が閉じた位置にあるときに、ハウジング内部で圧縮されることを特徴とする請求項１〜５のいずれか一項に記載の装置。
【請求項７】
塗布要素は、支持要素が閉じた位置にあるときに、ハウジング内部で圧縮されないことを特徴とする請求項５に記載の装置。
【請求項８】
塗布要素が、焼結材料から成ることを特徴とする請求項１〜４の何れか一項に記載の装置。
【請求項９】
支持要素（５３）がフィルムヒンジ（５４）により、容器本体に固定されている組立部（４２）に接続されていることを特徴とする請求項１〜８のいずれか一項に記載の装置。
【請求項１０】
支持要素がフィルムヒンジによって、容器本体に接続されていることを特徴とする請求項１〜８のいずれか一項に記載の装置。
【請求項１１】
支持要素が、ハウジング内部を回動する少なくとも一つのピボット（２５）を具備したヒンジの手段により、容器に繋がれることを特徴とする請求項１〜８のいずれか一項に記載の装置。
【請求項１２】
装置が、支持要素と容器のいずれか一つにスナップ固定により固定されるフィルムヒンジ（１０２）を備えていることを特徴とする請求項１〜８のいずれか一項に記載の装置。
【請求項１３】
ヒンジが、スプリング効果をもたらすことを特徴とする請求項９〜１２のいずれか一項に記載の装置。
【請求項１４】
容器本体が、可撓性であることを特徴とする請求項１〜１３のいずれか一項に記載の装置。
【請求項１５】
容器本体が剛性であることを特徴とする請求項１〜８の何れか一項に記載の装置。
【請求項１６】
支持要素は、支持要素が閉じた位置にあるときに、支持要素を閉じた位置に保持するため、容器のロック部材（３９）にスナップ固定するのに適したロック部材（３８）を備えることを特徴とする請求項１〜１５のいずれか一項に記載の装置。
【請求項１７】
支持要素は、支持要素が待機位置にあるときに、支持要素を待機位置に保持するために容器のロック部材（８４）にスナップ固定するのに適したロック部材（８３）を備えていることを特徴とする請求項１〜１６のいずれか一項に記載の装置。
【請求項１８】
支持要素が閉じた位置にあるときに、塗布要素が受け入れられるハウジングは、容器の軸線Ｘと実質的に同じになる軸線を有していることを特徴とする請求項１〜１７のいずれか一項に記載の装置。
【請求項１９】
支持要素が閉じた位置にあるときに、塗布要素が受け入れられるハウジング（４３）は、実質的に容器の軸線Ｘに対して角度を成す軸線を有することを特徴とする請求項１〜１７のいずれか一項に記載の装置。
【請求項２０】
支持要素が閉じた位置にあるときに、塗布要素が受け入れられるハウジングは、実質的に容器の軸線と垂直な軸線Ｙを有することを特徴とする請求項１〜１９のいずれか一項に記載の装置。
【請求項２１】
ハウジングは、支持要素のヒンジ軸線と実質的に垂直な方向Ｙに沿って、内容物がハウジングに入るように製造されていることを特徴とする請求項１〜２０のいずれか一項に記載の装置。
【請求項２２】
塗布要素は、支持要素が待機位置にあるときに、実質的に容器の軸線と、平行になる軸線を有することを特徴とする請求項１〜２０のいずれか一項に記載の装置。
【請求項２３】
塗布要素は、支持要素が待機位置にあるときに、容器の軸線Ｘとゼロでない角度をなす軸線Ｚを有することを特徴とする請求項１〜２０のいずれか一項に記載の装置。
【請求項２４】
支持要素が、その閉じた位置から待機位置に変わるときに支持要素は、210°以上もしくはこれと等しい角度で回動することを特徴とする請求項１〜２３のいずれか一項に記載の装置。
【請求項２５】
ハウジングは、その内容物を塗布要素と接触させることができる複数のオリフィスを備えた底壁により形成されていることを特徴とする請求項１〜２４のいずれか一項に記載の装置。
【発明の詳細な説明】
【０００１】
【発明の属する技術分野】
本発明は、内容物、特に化粧品またはケア製品を包装し、塗布することに関するものである。
【０００２】
【従来の技術】
また特に、発明は内容物を塗布するための塗布要素と、内容物を収容する容器とを具備し且つ、塗布要素を受け入れるハウジングを備えるタイプの新しい包装及び塗布装置に関するものであり、前記ハウジングが、容器からの内容物を供給され、簡単に使用できる。
【０００３】
【発明が解決しようとする課題】
新規包装塗布装置は、以下の事実を特徴とする。すなわち、塗布要素は支持要素に固定されており、前記支持要素は、塗布要素がハウジング内に受け入れられる閉じた位置と、塗布要素が内容物を塗布するために使用されうる待機位置との間を、容器に対して回動するように取り付けられている。
【０００４】
【課題を解決するための手段】
本発明は容器をハンドルとして使用することができ、塗布要素用の支持要素を、コンパクトにできる。
【０００５】
さらに塗布要素を脱落させる危険もなく、塗布要素が表面と接触してこれを汚す危険もなく、簡単な動作で塗布要素を待機位置に配置させることができる。
【０００６】
最後に支持要素は容器の一部と一体型に作られ得て、構成部品の数を減らし、装置の製造を簡単にすることに貢献している。
【０００７】
【発明の実施の形態】
好ましい実施形態において、支持要素は閉じた位置では、ハウジングをしっかり密閉するのに適している。
【０００８】
また特別の実施形態においては、支持要素の回動運動は120°以上、あるいはこれに等しいか、好ましくは180°以上、あるいはこれに等しい角度ストロークを成し、塗布要素を全体に外れる位置にもってくることが可能である。
【０００９】
塗布要素はどのような種類でも可能であるが、特に、開放セル発泡材料などの圧縮可能な素材で製造できる。
【００１０】
塗布要素は支持要素が閉じた位置にあるときに、ハウジング内で任意に圧縮することができる。
【００１１】
特別の実施形態において、支持要素を、フィルムヒンジにより容器本体に固定されている設置部分に接続し、別の実施形態では、支持要素を、フィルムヒンジにより容器自体の本体に接続している。
【００１２】
装置は支持要素と容器のいずれかにスナップ固定されているフィルムヒンジを備えことが可能である。
【００１３】
別の特別の実施形態では、支持要素は、ハウジング内で回転する少なくとも一つのピボットを含むヒンジ手段により、容器に繋げられている。
【００１４】
ヒンジはスプリング効果を提供できる。
【００１５】
容器の本体は、可撓性もしくは剛性であり得る。
【００１６】
支持要素は、これが閉じた位置にあるときに、容器のロック部材にスナップ固定するのに適したロック部材を備えており、それによって支持要素をその閉じた位置に保持する。
【００１７】
支持要素は、またこれが待機位置にあるときに、容器のロック部材にスナップ固定するのに適したロック部材を備えており、それによって支持要素は待機位置に保持されている。
【００１８】
支持要素が閉じた位置にあるときに塗布要素を受け入れるハウジングは、実質的に容器の軸線と同じ軸線上に置くことができるか、あるいは容器の角度の軸線、すなわち容器の軸線と実質的に垂直な軸線をもつことができる。
【００１９】
装置の所望の人間工学的条件ならびに使用条件により、塗布要素は、支持要素が待機位置にあるときに、実質的に容器の軸線と平行になる軸線、あるいは容器の軸線に対してゼロでない角度の軸線を持つことができる。
【００２０】
特別の実施形態において、支持要素は、支持要素が閉じた位置から待機位置に移動するときに、210°以上の角度で回動する。
【００２１】
このように支持要素が待機位置にあるときに、実質的に塗布要素が見える側と逆の側にハウジングが開いていることから、使用中に、塗布要素に利用されている面が、前記ハウジングの縁と接触しないようにされて、例えば前記部位についた残りの内容物が思わぬ形で、ついてしまわないようにする。
【００２２】
特別な実施形態によれば、ハウジングは複数のオリフィスを備えた底壁で形成され、前記オリフィスは内容物が塗布要素と接触するようにさせる。
【００２３】
さらに実施形態において、内容物が支持要素のヒンジ軸線と実質的に垂直な方向に、ハウジング内を入るようにハウジングを構成する。
【００２４】
塗布要素は毛細管もしくは内容物に圧力をかけることで、内容物を充填される。
【００２５】
【実施例】
本発明のさらなる特徴と効果は、各実施例に限定しない以下詳細な説明を読み、添付図面を参照することにより明らかになる。
【００２６】
図１は、本発明による第一実施例を構成する包装塗布装置１０を示している。
【００２７】
装置１０はローションもしくは日焼けクリームなどの化粧品又はケア製品を、包装し塗布するためのものである。
【００２８】
一般に本発明は液体内容物を糊状の濃度で、実際には粉の状態で包装し、塗布するのに適している。
【００２９】
図２の部分断面図に示される装置１０は、軸線Ｘを有する容器本体１１と、本体１１に固定されて塗布要素１４が収納されるハウジング１３を形成するヘッド１２とを具備している。
【００３０】
ハウジング１３は側壁１５と、ヘッド１２の内側チャネル１８から本体１１の内側に連通するオリフィス１７を備えられている底壁１６により形成されている。
【００３１】
ヘッド１２は組立スカート１９を有しており、このものは容器のネック２０にスナップ固定するのに適切で、本体１１と一体型に形成されており、さらに漏れを防いだ状態でネック２０を押し付けるのに適したシールリップ２１を備えており、内側チャネル１８と本体１１とを漏れを防いで連通させている。
【００３２】
この場合、本体は可撓性壁を備えており、使用者が壁を押し付け内側チャネル１８とオリフィス１７に内容物を押出す。
【００３３】
塗布要素１４は、フラップの形をした支持要素２３により支えられており、前記支持要素は、ヘッド１２に形成される適切なハウジングに系止された二つのピボット２５を片側に備えている。
【００３４】
支持要素２３は、これが図２に示すように閉じた位置にありハウジング１３を密閉しているときに、側壁１５に対して漏れを防止する状態を保持できるシールリップ２８を備えている。
【００３５】
支持要素２３はまた、閉じた位置で支持要素２３を保持するために、ヘッド１２のハウジング３９にスナップ固定するのに適したロック部材３８を備えている。
【００３６】
この場合、塗布要素１４は連続気泡発泡体で構成され、支持要素２３と一体型に形成された組立スカート３０内に固定されている。
【００３７】
記載された実施例からわかるように、ハウジング１３の軸線Ｙは実質的に容器の軸線Ｘと直交している。
【００３８】
ヘッド１２には支持要素２３と一直線でセットバック３１が形成されており、使用者がつめを入れて支持要素２３を持ち上げ回動軸Ｋを約１２０°軸回転をさせることができる。
【００３９】
ヘッド１２は、支持要素２３が回動して端にくると、これを受け入れるために容器１１から遠位側に配備されたハウジング３４を備えている。
【００４０】
回動軸Ｋから遠位にあるハウジング３４の縁は、レリーフ３５の形をした小さい部分を提供し、それにより支持要素２３をスナップ固定して待機位置に保持させることができる。
【００４１】
装置１０は以下のように使用される。
【００４２】
使用者は容器の本体１１に圧をかけて塗布要素１４に内容物を充填させ始め、本体１１がハンドルとして使用することができ、塗布要素１４の手段により内容物を皮膚、頭髪、爪に、または粘膜につけた後に、支持要素２３を回転させ、これをハウジング３４内にもってくる。
【００４３】
通常、本発明の範囲内で様々な変形例を適用することができる。
【００４４】
特に塗布要素が内容物を充填される方法は、つける内容物の種類、処置される体や顔の部位などの要因や、所望のつけ方となど、塗布要素が収容されるハウジングの軸線や、待機状態にあるときの塗布要素の軸線の方位に関して変えることができる。
【００４５】
図３、４は本発明の第二実施例を構成する装置４０を図示している。
【００４６】
この実施例では、容器はチューブ上にフィットするヘッド（組立部）４２を備えた可撓性のチューブ４１の形式である。
【００４７】
ヘッドはハウジング４３を形成して、塗布要素４４を収納している。
【００４８】
容器４１は軸線Ｘ上にネック４５を有しており、この実施例では、ハウジング４３の軸線Ｙは軸線Ｘに対してゼロでない９０°以下の角度を成す。
【００４９】
ヘッドはシールリップ５８を備えており、このものは漏れを防いだ状態でネック４５に押し付けている。
【００５０】
ハウジング４３は側壁４７と底壁４８とで画定され、底壁は内容物をハウジング４３に送り込むオリフィス４９が貫通しており、塗布要素４４に内容物を充填する。
【００５１】
塗布要素４４は、支持要素や、フィルムヒンジ５４によりヘッド４２の前方壁５５に連結されたフラップ（支持要素）５３に固定されている。
【００５２】
支持要素５３はシールリップ５９を備え、これが塗布要素４４を組み立てる役目を果たしており、またハウジング４３を閉じるための位置における摩擦により支持要素５３を保持する間は、側壁４７に漏れを防ぐ状態に保持するのに適している。
【００５３】
前方壁５５はセットバック６２を備えており、ここでは図４に表すように、支持要素が待機位置に回動されたあとに、前記セットバックが、支持要素５３に固定されたスタッド６３をスナップ固定できる。
【００５４】
図３、４に図示された実施例から、わかるように、待機位置にある塗布要素の軸線Ｚはハウジング４３の軸線Ｙに対して９０°以上の角度にあり、使用者が容器４１をハンドルにして内容物をつけるときに、ハウジング４３は塗布要素４４から遠位方向を向いているから、内容物をつける面が、ハウジング４３の縁に接触しないことを確実にしている。
【００５５】
図５、６は本発明の第三の実施例を構成する装置７０を図示している。
【００５６】
この装置は、上にヘッド７２を備えている容器本体７１を具備し、ヘッドは、塗布要素７４を収納するハウジング７３を形成しており、塗布要素が回ると支持要素やフラップ７５により支持される。
【００５７】
ヘッド７２は、本体７１の一部をなすネック６７に、漏れを防いだ状態で保持されているシールリップ７６を備えている。
【００５８】
ハウジング７３は、オリフィス７９から内容物を流し込まれる。
【００５９】
ヘッド７２は、図６に示すように、約２１０°回動したあとに支持要素７５が受付けられてくる受面８０を備えている。
【００６０】
支持要素７５は、フィルムヒンジ８２によりヘッド７２に連結されている。
【００６１】
支持要素７５はセットバック（ロック部材）８３を備えており、ここでは、受面８０に形成されたスタッド（ロック部材）８４にスナップ固定され得て、支持要素７５を適切な待機位置に保持する。
【００６２】
支持要素７５はまた、ヘッド７２に形成された環状溝８７に漏れを防いだ状態で系止するのに適したシールリップ８６を備えているから、ハウジング７３をしっかり密閉できる。
【００６３】
支持要素は、ハウジング９０内でスナップ固定するのに適したロック部材８９を備えており、支持要素を閉じた位置で保持する。
【００６４】
図６、７に図示される実施例において、ハウジング７３の軸は容器の軸線Ｘと一致しており塗布要素の軸線Ｚは、待機位置にあるとき、軸線Ｘに対して約６０°の角度をなしている。
【００６５】
フィルムヒンジの形式で行う場合は、容器に支持要素を連結するヒンジ手段は、容器に固定されるのに適したエンド部分を備えることができる。
【００６６】
図示によれば、図７では装置１００は、フィルムヒンジ１０２と一体型に形成された支持要素１０１を備えており、ヒンジは、前述のヘッド４２に類似したヘッド１０５のハウジング１０４内部にスナップ固定により固定されたエンド部分１０３を備えている。
【００６７】
ハウジング１０４は容器の軸線Ｘ上に配置している。
【００６８】
フィルムヒンジ１０２を、折畳まない状態で成形することができるので、支持要素の製造が容易になる。
【００６９】
支持要素を閉じた位置や、または分配位置で保持する目的で、ヒンジ手段はスプリング効果を備えたヒンジ式で製造することもできる。
【００７０】
このようなスプリング効果のあるヒンジは一般に、ヒンジが一番端の位置の間で中間の角度位置にある場合に、最大量のストレスを超えて柔軟に変形可能な部分を備えている。
【００７１】
当然本発明は前述の各実施例に限定されるものではない。
【００７２】
特に、前述とは異なる種類、形態の、特に圧縮その他、発泡体、焼結要素、またはフェルトなどの塗布要素を使用することができる。
【００７３】
塗布要素は様々な方法で内容物を充填される。
【００７４】
特に塗布要素は、前記圧力手段により容器の壁を加圧する以外の方法で、内容物を充填することができ、この圧力手段により、塗布要素側に内容物を放出する。
【００７５】
塗布要素は、タンクから内容物を抽出しこれを塗布要素に送り出す重力もしくは、毛細管もしくはポンプ手段により、内容物を充填できる。
【００７６】
塗布要素がハウジング内にあるときに、収縮する吸上げ効果により、それに内容物を充填でき、この吸上げ効果は、ハウジングの側壁に漏れを防いだ状態で、塗布要素を加圧する場合に生じる。
【００７７】
塗布要素は任意に、内容物充填位置にあるときに対応するハウジングを画定する壁と接触可能である。
【図面の簡単な説明】
【図１】本発明による第一実施例を構成する装置の斜視線図。
【図２】図１のＩ−Ｉ線における軸方向断面線図。
【図３】本発明による第二実施例を構成する装置の軸方向断面線図であり、その密閉位置にある支持要素。
【図４】待機位置における支持要素を示す図３に類似の図。
【図５】本発明による第三実施例を構成する装置の軸線方向断面図。
【図６】待機位置における支持要素を示す図５に類似の図。
【図７】別の変形例を示す図３に類似の図。
【符号の説明】
１０    装置
１１    本体
１２    ヘッド
１３    ハウジング
１４    塗布要素
１５    側壁
１６    底壁
１７    オリフィス
１８    内側チャンネル
１９    組立スカート
２０    ネック
２１    シールリップ
２３    支持要素
２５    ピボット
３１    セットバック
３４    ハウジング
３５    レリーフ
３８    ロック部材
３９    ロック部材
４０    装置
４１    チューブ
４２    組立部／ヘッド
４３    ハウジング
４４    塗布要素
４５    ネック
４７    側壁
４８    底壁
５３    支持要素／フラップ
５４    フィルムヒンジ
５５    壁
５８    シールリップ
５９    シールリップ
６２    セットバック
６３    スタッド
６７    シールリップ
７０    装置
７１    本体
７２    ヘッド
７３    ハウジング
７４    塗布要素
７５    支持要素
８０    受面
８２    フィルムヒンジ
８３    ロック部材／セットバック
８４    ロック部材／スタッド
８６    シールリップ
８７    環状溝
８９    ロック部材
９０    ハウジング
１００  装置
１０２  フィルムヒンジ
１０３  エンド部分
１０４  ハウジング
１０５  ヘッド
【図１】
0003564446.tif 000002
【図２】
0003564446.tif 000003
【図３】
0003564446.tif 000004
【図４】
0003564446.tif 000005
【図５】
0003564446.tif 000006
【図６】
0003564446.tif 000007
【図７】
0003564446.tif 000008